(57)【要約】    【課題】  各増幅回路の負荷状態のアンバランスによる弊害を防止することのできるアンプ装置を提供する。    【手段】  各増幅回路Ａ1、Ａ2・・・Ａnには、その負荷状態を検出するための負荷状態検出センサＳ1、Ｓ2・・・Ｓnが設けられている。切換手段６は、負荷状態検出センサＳ1、Ｓ2・・・Ｓnの検出出力を受けて、負荷状態が所定値を超えた増幅回路と、負荷状態が所定値を超えていない増幅回路とを交換するように、入力側切換スイッチ２、出力側切換スイッチ４を切り換える。  したがって、増幅回路Ａ1、Ａ2・・・Ａnの負荷にアンバランスがある場合には、増幅回路を切り換えることにより、負荷が同じ増幅回路に集中し続けることを防止することができる。【選択図】  図１
2012175432.tif 000002
【特許請求の範囲】
【請求項１】
マルチチャネルの各チャネル信号に対応して設けられた増幅回路と、
前記各増幅回路の入力側に設けられ、いずれのチャネル信号を当該増幅回路に入力するかを切り換える入力側切換スイッチと、
前記各増幅回路の出力側に設けられ、当該増幅回路の出力をいずれのスピーカに与えるかを切り換える出力側切換スイッチと、
前記増幅回路の負荷状態を計測する負荷状態検出センサと、
前記負荷状態センサの計測した負荷状態が所定値を超えたことを判断し、前記入力側スイッチおよび前記出力側スイッチを切り換える切換手段と、
を備えたことを特徴とするアンプ装置。
【請求項２】
請求項１のアンプ装置において、
前記チャネル信号は、少なくとも前方左信号、前方右信号、中央信号、サブウーファ信号のいずれかを高出力信号として含み、少なくともサラウンド左信号、サラウンド右信号、サラウンド後方左信号、サラウンド後方右信号、前方左上方信号、前方右上方信号を低出力信号として含み、
前記切換手段は、入力側切換スイッチを制御し、前記増幅回路に入力する前記高出力信号の少なくとも何れかと、他の前記増幅回路に入力する前記低出力信号の何れかとを交換するように、前記増幅回路および前記他の増幅回路への入力を切り換えるとともに、出力側切換スイッチを制御し、前記増幅回路からの出力信号と、前記他の増幅回路からの出力信号とを交換するように、前記増幅回路からスピーカへの出力を切り換えることを特徴とするアンプ装置。
【請求項３】
請求項１または２のアンプ装置において、
前記負荷状態検出センサは、各増幅回路に設けられており、
前記切換手段は、入力側切換スイッチを制御し、所定値を超えた負荷状態検出センサに対応する増幅回路に入力される高出力信号と、所定値を超えていない負荷状態検出センサに対応する他の増幅回路に入力される低出力信号とを交換するように、前記増幅回路および前記他の増幅回路への入力を切り換えるとともに、出力側切換スイッチを制御し、前記増幅回路からの出力信号と、前記他の増幅回路からの出力信号とを交換するように、前記増幅回路からスピーカへの出力を切り換えることを特徴とするアンプ装置。
【請求項４】
請求項１〜３の何れかのアンプ装置において、
前記負荷状態検出センサは、温度センサまたは負荷電圧検出センサであることを特徴とするアンプ装置。
【請求項５】
請求項１〜４の何れかのアンプ装置において、
前記切換手段は、切換対象となるチャネル信号が所定レベル以下になった時に切り換えを行うことを特徴とするアンプ装置。
【発明の詳細な説明】
【技術分野】
【０００１】
この発明は、複数の増幅回路を有するアンプ装置において、各増幅回路の負荷状態のアンバランスによる弊害を防止する技術に関する。
【背景技術】
【０００２】
マルチチャネル信号を扱うことのできるアンプ装置においては、チャネル信号ごとに増幅回路が設けられている。しかし、チャネルごとに負荷が同じではなくアンバランスであるため、特定の増幅回路の温度が上昇し、増幅回路の特性を劣化させることがあった。
【０００３】
特許文献１には、フロント側のスピーカシステムをＡ系統とＢ系統の２系統設け、通常はＡ系統だけで音響再生し（Ａ系統モード）、音場を変えたい場合に（Ａ＋Ｂ）系統に切り換え（（Ａ＋Ｂ）系統モード）、Ａ系統とＢ系統の両方から音響再生するようにした音響再生システムが開示されている。
【０００４】
Ａ系統モードの再生においては、１組のＡ系統フロントスピーカが、２つのフロントパワーアンプの出力で駆動され、１組のリアスピーカが、２つのリアパワーアンプで駆動され、通常のサラウンド音場が実現される。
【０００５】
（Ａ＋Ｂ）系統モードの再生においては、１組のＡ系統フロントスピーカと１組のＢ系統フロントスピーカの両方が、２つのフロントパワーアンプの出力で駆動されるので、フロント側の音響の広がり感が増し、また音場が豊かになる。しかし、２つのフロントパワーアンプによって、４つのスピーカを駆動することになり、負荷が大きく温度上昇が大きくなるという問題がある。
【０００６】
特許文献１では、このような問題を解決するため、（Ａ＋Ｂ） 系統の再生時には、２つのパワーアンプの出力をＡ系統のフロントスピーカ出力端子に出力し、他の２つのパワーアンプの出力をＢ系統のフロントスピーカ出力端子に出力するように切り換えを行っている。これにより、パワーアンプに対する負荷の集中を防止している。
【先行技術文献】
【特許文献】
【０００７】
【特許文献１】特開平１１−３３１９９６号公報
【発明の概要】
【発明が解決しようとする課題】
【０００８】
しかしながら、特許文献１においては、使用していないアンプに負荷を分散させるものであり、未使用のアンプがない限り適用することはできない。したがって、各チャネル信号についてアンプが設けられた装置における信号負荷のアンバランスを解消することはできなかった。
【０００９】
この発明は、上記のような問題を解決して、各増幅回路の負荷状態のアンバランスによる弊害を防止することのできるアンプ装置を提供することを目的とする。
【課題を解決するための手段】
【００１０】
(1)この発明に係るアンプ装置は、マルチチャネルの各チャネル信号に対応して設けられた増幅回路と、前記各増幅回路の入力側に設けられ、いずれのチャネル信号を当該増幅回路に入力するかを切り換える入力側切換スイッチと、前記各増幅回路の出力側に設けられ、当該増幅回路の出力をいずれのスピーカに与えるかを切り換える出力側切換スイッチと、前記増幅回路の負荷状態を計測する負荷状態検出センサと、前記負荷状態センサの計測した負荷状態が所定値を超えたことを判断し、前記入力側スイッチおよび前記出力側スイッチを切り換える切換手段とを備えたことを特徴としている。
【００１１】
したがって、増幅回路の負荷状態に応じて、負荷を適切に切り換えることができる。また、入力側および出力側の双方にスイッチを設けているので、入力側スイッチに与えられるチャネル信号と、出力側スイッチから出力されるチャネル信号との対応関係を、切り換えを行った後も維持することができる。
【００１２】
(2)この発明に係るアンプ装置は、チャネル信号が、少なくとも前方左信号、前方右信号、中央信号、サブウーファ信号のいずれかを高出力信号として含み、少なくともサラウンド左信号、サラウンド右信号、サラウンド後方左信号、サラウンド後方右信号、前方左上方信号、前方右上方信号を低出力信号として含み、前記切換手段は、入力側切換スイッチを制御し、前記増幅回路に入力する前記高出力信号の少なくとも何れかと、他の前記増幅回路に入力する前記低出力信号の何れかとを交換するように、前記増幅回路および前記他の増幅回路への入力を切り換えるとともに、出力側切換スイッチを制御し、前記増幅回路からの出力信号と、前記他の増幅回路からの出力信号とを交換するように、前記増幅回路からスピーカへの出力を切り換えることを特徴としている。
【００１３】
したがって、増幅回路の負荷状況に応じて、高出力信号を処理する増幅回路と、低出力信号を処理する増幅回路を交換することができる。
【００１４】
(3)この発明にかかるアンプ装置は、負荷状態検出センサが、各増幅回路に設けられており、切換手段は、入力側切換スイッチを制御し、所定値を超えた負荷状態検出センサに対応する増幅回路に入力される高出力信号と、所定値を超えていない負荷状態検出センサに対応する他の増幅回路に入力される低出力信号とを交換するように、前記増幅回路および前記他の増幅回路への入力を切り換えるとともに、出力側切換スイッチを制御し、前記増幅回路からの出力信号と、前記他の増幅回路からの出力信号とを交換するように、前記増幅回路からスピーカへの出力を切り換えることを特徴としている。
【００１５】
したがって、各増幅回路について検出した負荷状態に応じて、増幅回路を適切に切り換えることができる。
【００１６】
(4)この発明に係るアンプ装置は、負荷状態検出センサが、温度センサまたは負荷電圧検出センサであることを特徴としている。
【００１７】
したがって、温度状況や負荷電圧の状況に応じて、増幅回路の切り換えを行うことができる。
【００１８】
(5)この発明に係るアンプ装置は、切換手段が、切換対象となるチャネル信号が所定レベル以下になった時に切り換えを行うことを特徴としている。
【００１９】
したがって、切り換え時に生じる雑音を低減することができる。
【００２０】
この発明において「入力側スイッチ」とは、チャネル信号をいずれの増幅回路に与えるかを切り換えることができるものをいい、リレーだけでなくＤＳＰなどによる出力切り換え機能を含む概念である。実施形態においてはＳＷ１６がこれに対応する。
【００２１】
「増幅回路」とは、チャネル信号に対して何らかの処理を行う回路をいい、振幅を大きくするものだけでなく、振幅を整えたりするものなどを含む概念である。
【００２２】
「出力側スイッチ」とは、増幅回路の出力をいずれのスピーカに与えるかを切り換えることができるものをいい、リレーだけでなく制御回路などによる出力切り換え機能を含む概念である。実施形態においてはＳＷ１６がこれに対応する。
【００２３】
「切換手段」とは、増幅回路が処理するチャネル信号を切り換えることのできる手段をいい、実施形態においてはステップＳ５がこれに対応する。
【図面の簡単な説明】
【００２４】
【図１】この発明の一実施形態によるアンプ装置の機能ブロック図である。
【図２】アンプ装置のハードウエア構成を示す図である。
【図３】センサＳ1、Ｓ2・・・Ｓ10の取り付け状態を示す図である。
【図４】制御プログラムのフローチャートを示す図である。
【図５】メモリに記録されたテーブルを示す図である。
【図６】ＳＷ１６、ＳＷ１８の切り換え状態を示す図である。
【図７】更新後のテーブルを示す図である。
【発明を実施するための形態】
【００２５】
１．全体構成
図１に、この発明の一実施形態によるアンプ装置の機能ブロック図を示す。入力側切換スイッチ２には、前方左チャネル信号ＦＬ、前方右チャネル信号ＦＲ、中央チャネル信号Ｃ、サラウンド左チャネル信号ＳＬ、サラウンド右チャネル信号ＳＲ、サラウンド後方左チャネル信号ＳＢＬ、サラウンド後方右チャネル信号ＳＢＲ、前方上方左チャネル信号ＦＨＬ、前方上方右チャネル信号ＦＨＲ、サブウーファ信号ＳＵＢが入力されている。
【００２６】
これらのチャネル信号は、入力側切換スイッチ２を介して、それぞれ増幅回路Ａ1、Ａ2・・・Ａnに入力される。増幅回路Ａ1、Ａ2・・・Ａnの出力は、出力側切換スイッチ４を介して、それぞれスピーカに与えられる。
【００２７】
各増幅回路Ａ1、Ａ2・・・Ａnには、その負荷状態を検出するための負荷状態検出センサＳ1、Ｓ2・・・Ｓnが設けられている。切換手段６は、負荷状態検出センサＳ1、Ｓ2・・・Ｓnの検出出力を受けて、負荷状態が所定値を超えた増幅回路と、負荷状態が所定値を超えていない増幅回路とを交換するように、入力側切換スイッチ２、出力側切換スイッチ４を切り換える。
【００２８】
したがって、増幅回路Ａ1、Ａ2・・・Ａnの負荷にアンバランスがある場合には、増幅回路を切り換えることにより、負荷が同じ増幅回路に集中し続けることを防止することができる。
【００２９】
２．ハードウエア構成
図２に、一実施形態によるアンプ装置のハードウエア構成を示す。アナログ信号ＡＮＡは、Ａ／Ｄ変換器１０によってディジタル信号にされてＤＳＰ１４に与えられる。ＣＤプレイヤからのディジタル信号ＣＤやコンピュータからのディジタル信号ＰＣは、ＤＩＲ１２によって選択されて、ＤＳＰ１４に与えられる。
【００３０】
ＤＳＰ１４は、これらのディジタル信号をデコードし、前方左チャネル信号ＦＬ、前方右チャネル信号ＦＲ、中央チャネル信号Ｃ、サラウンド左チャネル信号ＳＬ、サラウンド右チャネル信号ＳＲ、サラウンド後方左チャネル信号ＳＢＬ、サラウンド後方右チャネル信号ＳＢＲ、前方上方左チャネル信号ＦＨＬ、前方上方右チャネル信号ＦＨＲ、サブウーファ信号ＳＵＢとして出力する。
【００３１】
これら信号ＦＬ、ＦＲ、Ｃ、ＳＬ、ＳＲ、ＳＢＬ、ＳＢＲ、ＦＨＬ、ＦＨＲ、ＳＵＢは、Ｄ／Ａ変換器Ｃ1、Ｃ2・・・Ｃ10によってアナログ信号に変換される。これら前方左チャネル・アナログ信号ＦＬ、前方右チャネル・アナログ信号ＦＲ、中央チャネル・アナログ信号Ｃ、サラウンド左チャネル・アナログ信号ＳＬ、サラウンド右チャネル・アナログ信号ＳＲ、サラウンド後方左チャネル・アナログ信号ＳＢＬ、サラウンド後方右チャネル・アナログ信号ＳＢＲ、前方上方左チャネル・アナログ信号ＦＨＬ、前方上方右チャネル・アナログ信号ＦＨＲ、サブウーファ・アナログ信号ＳＵＢは、スイッチＳＷ１６を介して、増幅回路Ａ1、Ａ2・・・Ａ10に与えられる。スイッチＳＷ１６は、１０個の入力と１０個の出力を持ち、いずれの入力をいずれの出力に接続するかを、任意に切換可能である。初期状態においては、信号ＦＬ、ＦＲ、Ｃ、ＳＬ、ＳＲ、ＳＢＬ、ＳＢＲ、ＦＨＬ、ＦＨＲ、ＳＵＢは、それぞれ、増幅回路Ａ1、Ａ2、Ａ3、Ａ4、Ａ5、Ａ6、Ａ7、Ａ8、Ａ9、Ａ10に接続されている。
【００３２】
増幅されたこれらアナログ信号ＦＬ、ＦＲ、Ｃ、ＳＬ、ＳＲ、ＳＢＬ、ＳＢＲ、ＦＨＬ、ＦＨＲ、ＳＵＢは、スイッチＳＷ１８を介して、それぞれのスピーカｆｌ、ｆｒ、ｃ、ｓｌ、ｓｒ、ｓｂｌ、ｓｂｒ、ｆｈｌ、ｆｈｒ、ｓｕｂに与えられる。スイッチＳＷ１８は、１０個の入力と１０個の出力を持ち、いずれの入力をいずれの出力に接続するかを、任意に切換可能である。初期状態においては、信号ＦＬ、ＦＲ、Ｃ、ＳＬ、ＳＲ、ＳＢＬ、ＳＢＲ、ＦＨＬ、ＦＨＲ、ＳＵＢは、それぞれ、スピーカｆｌ、ｆｒ、ｃ、ｓｌ、ｓｒ、ｓｂｌ、ｓｂｒ、ｆｈｌ、ｆｈｒ、ｓｕｂに接続されている。
【００３３】
各増幅回路Ａ1、Ａ2・・・Ａ10には、負荷状態検出センサとしての温度センサＳ1、Ｓ2・・・Ｓ10が設けられている。図３に、温度センサＳ1、Ｓ2・・・Ｓ10の取り付け状態を示す。放熱板２２には、増幅回路Ａ1、Ａ2・・・Ａ10が取り付けられている。増幅回路Ａ1、Ａ2・・・Ａ10の上部には、温度センサＳ1、Ｓ2・・・Ｓ10が取り付けられている。
【００３４】
図２に示すように、温度センサＳ1、Ｓ2・・・Ｓ10の出力は、ＭＰＵ２０に与えられる。ＭＰＵ２０は、スイッチＳＷ１６、ＳＷ１８を制御する。ＭＰＵ２０は、内部にメモリを有しており、制御プログラムを記録している。
【００３５】
図４に、制御プログラムのフローチャートを示す。ＭＰＵ２０は、温度センサＳ1、Ｓ2・・・Ｓ10の出力を取得する（ステップＳ１）。次に、ＭＰＵ２０は、何れかの温度センサＳ1、Ｓ2・・・Ｓ10の温度が、所定温度（たとえば８０度）を超えているかどうかを判断する（ステップＳ２）。所定温度を超えている温度センサＳ1、Ｓ2・・・Ｓ10がなければ、ステップＳ１に戻って温度センサＳ1、Ｓ2・・・Ｓ10の出力を取得し、ＭＰＵ２０内のメモリ（図示せず）に記録する。たとえば、図５に示すように、計測温度が記録される。図５においては、温度センサＳ1、Ｓ2・・・Ｓ10とチャネル信号との対応関係も記録されている。
【００３６】
ＭＰＵ２０は、記録した各温度センサＳ1〜Ｓ10の計測温度のうち、所定温度（たとえば８０度とする）を超えるものがあるかどうかを判断する（ステップＳ２）。所定温度を超える温度センサがあれば、当該温度センサに対応する増幅回路について、ＭＰＵ２０内のメモリに高温フラグを記録する（ステップＳ３）。図５の例であれば、増幅回路Ａ1、Ａ2に対応するセンサＳ1、Ｓ2が所定温度（８０度）を超えているので、これに対し高温フラグが記録される。
【００３７】
また、高温フラグを立てた数と同じ数の低温フラグを、所定温度を超えていない温度センサに対応する増幅回路に対し記録する（ステップＳ３）。ここでは、高温フラグを２つ記録したので、低温フラグを２つ記録することになる。この実施形態では、所定温度を超えていない温度センサのうち温度の低い方から２つの温度センサについて、低温フラグを記録するようにしている。したがって、ここでは、温度センサＳ6、Ｓ7（増幅回路Ａ6、Ａ7）に対して低温フラグが記録される。
【００３８】
次に、ＭＰＵ２０は、ＤＳＰ１４がデコードした各チャネル信号ＦＬ、ＦＲ、Ｃ、ＳＬ、ＳＲ、ＳＢＬ、ＳＢＲ、ＦＨＬ、ＦＨＲ、ＳＵＢの振幅を取得する。ＭＰＵ２０は、高温フラグおよび低温フラグの記録されている増幅回路に対応するチャネル信号が、無音であるかどうかを判断する（ステップＳ４）。ここでは、チャネル信号ＦＬ、ＦＲ、ＳＢＬ、ＳＢＲが無音であるかどうかを判断することになる。なお、切り換え時に耳障りなクリック音が出ない程度の所定レベル以下の振幅であれば無音であると判断する。
【００３９】
無音でなければ、ステップＳ1に戻って処理を繰り返す。新たに、所定温度を超える増幅回路があれば、上記のようにして高温フラグ・低温フラグを記録する。
【００４０】
この繰り返しの際に、この実施形態では、ＭＰＵ２０は、高温フラグが記録されている増幅回路の温度が所定温度以下となった場合でも、当該高温フラグを削除しないようにしている。一次的に温度が下がっているだけであって、再び所定温度を超える可能性が高いからである。しかし、高温フラグが記録されている増幅回路の温度が所定温度以下となった場合には、当該高温フラグを削除するようにしてもよい。この高温フラグの削除とともに、低温フラグ（低温フラグが記録されている増幅回路のうち最も温度の高いもの）も削除する。
【００４１】
上記繰り返しを行っている間に、ＭＰＵ２０が無音を検出すると、ＭＰＵ２０は、高温フラグの記録されている増幅回路と、低温フラグの記録されている増幅回路を交換するように、ＳＷ１６、ＳＷ１８を切り換え制御する（ステップＳ５）。この際、ＭＰＵ２０は、最も温度の高い増幅回路と最も温度の低い増幅回路を交換し、２番目に温度の高い増幅回路と２番目に温度の低い増幅回路とを交換し、・・・ｎ番目に温度の高い増幅回路とｎ番目に温度の低い増幅回路を交換するようにする。
【００４２】
ここでは、図６に示すようにＳＷ１６、ＳＷ１８が切り換えられ、増幅回路Ａ1と増幅回路Ａ7が交換され、増幅回路Ａ2と増幅回路Ａ6が交換される。
【００４３】
ＳＷ１６の切り換えにより、増幅回路Ａ1はチャネル信号ＦＬに代えてチャネル信号ＳＢＲを処理することになる。同様に、増幅回路Ａ2はチャネル信号ＦＲに代えてチャネル信号ＳＢＬを処理し、増幅回路Ａ6はチャネル信号ＳＢＬに代えてチャネル信号ＦＬを処理し、増幅回路Ａ7はチャネル信号ＳＢＲに代えてチャネル信号ＦＲを処理することになる。
【００４４】
これに対応して、ＳＷ１８が切り換えられ、増幅回路Ａ1の出力はスピーカｆｌに代えてｓｂｌに与えられる。同様に、増幅回路Ａ2の出力はスピーカｆｒに代えてｓｂｌに与えられ、増幅回路Ａ6の出力はスピーカｓｂｌに代えてｆｒに与えられ、増幅回路Ａ7の出力はスピーカｓｂｒに代えてｆｌに与えられることになる。
【００４５】
上記の切り換えによっても、各スピーカｆｌ、ｆｒ、ｃ、ｓｌ、ｓｒ、ｓｂｌ、ｓｂｒ、ｆｈｌ、ｆｈｒ、ｓｕｂからは、それぞれ、チャネル信号ＦＬ、ＦＲ、Ｃ、ＳＬ、ＳＲ、ＳＢＬ、ＳＢＲ、ＦＨＬ、ＦＨＲ、ＳＵＢが出力される点は変わらない。ただし、増幅回路Ａ1、Ａ2の処理する振幅の大きいチャネル信号と、増幅回路Ａ6、Ａ7の処理する振幅の小さいチャネル信号が交換されることになる。これによって、高温となった増幅回路Ａ1、Ａ2の温度を低下させることができる。また、上記切り換えは無音期間中に行われるので、切り換えによるスピーカからのクリック音を小さくすることができる。
【００４６】
上記の切り換えが終了すると、ＭＰＵ２０は、図５のテーブルにおける高温フラグ、低温フラグを削除し、増幅回路（センサ）と信号との対応関係を更新する。したがって、テーブルは図７のように変更される。次に、ＭＰＵ２０は、ステップＳ1に戻って処理を繰り返す。
【００４７】
３．その他
(1)上記実施形態においては、無音であるか否かの判断を、交換対象となっている信号だけを対象に行っている。しかし、全ての信号が無音であるかどうかによって判断するようにしてもよい。この場合、デコード後の信号ではなく、ＤＳＰ１４に入力された信号に基づいて判断するようにしてもよい。
【００４８】
(2)また、上記実施形態では、信号の振幅が所定値以下であるかどうかによって無音であるかどうかを判断している。しかし、トラック間であることやチャプター間であることを検出し、これを無音期間であると判断するようにしてもよい。トラック間やチャプター間は、一般的に無音状態であるからである。
【００４９】
(3)さらに、上記実施形態では、高温フラグ・低温フラグが記録されている状態で、無音状態が生じるまで、ＳＷ１６、ＳＷ１８の切り換えを待つようにしている。しかし、増幅回路が所定温度を超えたままの状態を長く維持することは好ましくない。そこで、フラグを記録してから所定時間以上経過しても無音が検出されない場合には、その時点でＳＷ１６、ＳＷ１８の切り換えを行うようにしてもよい。切り換え音が発生するが、増幅回路が損傷するよりはよいからである。
【００５０】
また、フラグを記録してから所定時間以上経過しても無音が検出されない場合に、上記の切り換えを行わず、低消費電力モード（増幅回路の出力にリミッタをかけて電力をおさえるモード）に移行するようにしてもよい。この低消費電力モード間に、無音が検出されれば、切り換えを行い、通常のモードに復帰するようにする。
【００５１】
(4)上記実施形態では、所定温度を超えた時点で高温フラグ・低温フラグを記録するようにしている。しかし、過去の温度変化を記録しておき、将来の温度上昇を予測し、所定時間後（たとえば３分後）に所定温度を超えることが判明した時点で、高温フラグ・低温フラグを記録するようにしてもよい。
【００５２】
(5)上記実施形態では、ＳＷ１６、ＳＷ１８は、入力と出力の接続関係を全ての端子について任意に切り換えることができるようにしている。しかし、端子の数が増えると、リレーなどの個数が飛躍的に増えることになる。そこで、振幅が大きくなることが予想されるチャネル信号（たとえば、前方左信号、前方右信号、中央信号、サブウーファ信号など）を高出力信号とし、振幅が小さくなることが予想されるチャネル信号（たとえば、サラウンド左信号、サラウンド右信号、サラウンド後方左信号、サラウンド後方右信号、前方左上方信号、前方右上方信号）を低出力信号とし、高出力信号を処理する増幅回路と低出力信号を処理する増幅回路との間でのみ、交換を行うようにＳＷ１６、ＳＷ１８の回路を構成するようにしてもよい。これにより、ＳＷ１６、ＳＷ１８の回路構成が単純化される。
【００５３】
また、この場合、温度センサは、交換対象となる増幅回路についてのみ設けるようにしてもよい。
【００５４】
さらに、増幅回路全体の平均的な温度を検出する温度センサを１つ設け、これによる検出温度が所定温度を超えた場合に、予め定めた高出力信号を扱う増幅回路と、予め定めた低出力信号を扱う増幅回路とを交換するようにしてもよい。
【００５５】
(6)上記実施形態では、温度センサによって増幅回路の負荷状態（負荷による影響）を検出するようにしている。しかし、増幅回路の負荷電圧を時間的に積分して負荷状態を検出するようにしてもよい。負荷電圧の検出は、アナログ電圧センサを用いたり、ディジタル信号の段階で振幅を検出したりして行うことができる。
【００５６】
(7)上記実施形態では、入力側スイッチとしてリレーを用いているが、ＤＳＰ１４によって、出力端子からいずれのチャネルの信号を出力するかを切り換えることにより入力側スイッチを構成するようにしてもよい。
【図１】
2012175432.tif 000003
【図２】
2012175432.tif 000004
【図３】
2012175432.tif 000005
【図４】
2012175432.tif 000006
【図５】
2012175432.tif 000007
【図６】
2012175432.tif 000008
【図７】
2012175432.tif 000009